Podtech/llm-jp-corpus-v4-ja_patent huggingface dataset:
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
外部装置に接続可能なレシート発行装置であって、
前記外部装置から、決済情報を受信する決済情報受信手段と、
所定のコマンドを受信するコマンド受信手段と、
前記決済情報の受信後、前記所定のコマンドの受信の有無に基づいて、レシートを発行するか否かを判定する判定手段と、
前記判定手段により前記レシートを発行すると判定した場合、前記決済情報を印刷して、前記レシートを発行するレシート発行手段と、を備えたことを特徴とするレシート発行装置。
【請求項２】
前記判定手段は、
前記所定のコマンドが、現金決済またはクレジット決済に関連するコマンドである場合、前記レシートを発行すると判定することを特徴とする請求項１に記載のレシート発行装置。
【請求項３】
前記所定のコマンドは、
前記外部装置における現金決済またはクレジット決済に伴う操作によって発生するコマンドであることを特徴とする請求項１または２に記載のレシート発行装置。
【請求項４】
前記所定のコマンドは、
前記レシート発行装置に接続されたキャッシュドロワを駆動させるためのコマンドであることを特徴とする請求項１または２に記載のレシート発行装置。
【請求項５】
前記判定手段は、
前記所定のコマンドが、電子決済に関連するコマンドである場合、前記レシートを発行しないと判別することを特徴とする請求項１または２に記載のレシート発行装置。
【請求項６】
前記判定手段は、
前記決済情報受信手段が前記決済情報の受信後、前記コマンド受信手段が前記所定のコマンドを所定時間以内に受信したか否かに基づき、前記レシートを発行するか否かを判定することを特徴とする請求項１ないし５のいずれかに記載のレシート発行装置。
【請求項７】
外部装置および付属装置に接続可能な印刷装置であって、
前記外部装置から印刷情報を受信する印刷情報受信手段と、
前記付属装置を駆動するコマンドを受信するコマンド受信手段と、
前記コマンドの受信の有無に基づいて、前記印刷情報を印刷するか否かを判定する判定手段と、を備え、
前記印刷情報受信手段が前記印刷情報を受信した後、
前記コマンド受信手段が前記コマンドを受信したとき、前記判定手段は、前記印刷情報を印刷すると判定し、
前記コマンド受信手段が前記コマンドを受信しないとき、前記判定手段は、前記印刷情報を印刷しないと判定することを特徴とする印刷装置。
【請求項８】
外部装置と付属装置に接続可能な印刷装置の制御方法であって、
前記外部装置から印刷情報を受信した後、
前記付属装置を駆動させるコマンドを受信したとき、前記印刷情報を印刷すると判定し、
前記コマンド受信手段が前記コマンドを受信しないとき、前記印刷情報を印刷しないと判定することを特徴とする印刷装置の制御方法。
【手続補正２】
【補正対象書類名】明細書
【補正対象項目名】０００５
【補正方法】変更
【補正の内容】
【０００５】
本発明のレシート発行装置は、外部装置に接続可能なレシート発行装置であって、前記外部装置から、決済情報を受信する決済情報受信手段と、所定のコマンドを受信するコマンド受信手段と、前記決済情報の受信後、所定のコマンドの受信の有無に基づいて、レシートを発行するか否かを判定する判定手段と、判定手段によりレシートを発行すると判定した場合、決済情報を印刷して、レシートを発行するレシート発行手段と、を備えたことを特徴とする。
【手続補正３】
【補正対象書類名】明細書
【補正対象項目名】０００７
【補正方法】変更
【補正の内容】
【０００７】
本発明のレシート発行装置において、判定手段は、所定のコマンドが、現金決済またはクレジット決済に関連するコマンドである場合、レシートを発行すると判定することが好ましい。
【手続補正４】
【補正対象書類名】明細書
【補正対象項目名】００１０
【補正方法】変更
【補正の内容】
【００１０】
また、本発明のレシート発行装置において、所定のコマンドは、前記レシート発行装置に接続されたキャッシュドロワを駆動させるためのコマンドであることが好ましい。
【手続補正５】
【補正対象書類名】明細書
【補正対象項目名】００１２
【補正方法】変更
【補正の内容】
【００１２】
本発明のレシート発行装置において、判定手段は、所定のコマンドが、電子決済に関連するコマンドである場合、レシートを発行しないと判別することが好ましい。
【手続補正６】
【補正対象書類名】明細書
【補正対象項目名】００１４
【補正方法】変更
【補正の内容】
【００１４】
本発明のレシート発行装置において、前記判定手段は、前記決済情報受信手段が前記決済情報の受信後、前記コマンド受信手段が前記所定のコマンドを所定時間以内に受信したか否かに基づき、前記レシートを発行するか否かを判定することを特徴とする。
本発明のレシート発行装置は、外部装置から、決済情報および各種コマンドを受信する受信手段と、外部装置から、決済情報の受信後、所定時間内に、決済方法を特定できる所定のコマンドを受信したか否かを判定するコマンド受信判定手段と、コマンド受信判定手段による判定結果に基づいて、レシートを発行するか否かを判定する判定手段と、判定手段によりレシートを発行すると判定した場合、決済情報をレシート用紙に印刷して、レシートを発行するレシート発行手段と、を備えたことを特徴とする。
【手続補正７】
【補正対象書類名】明細書
【補正対象項目名】００１８
【補正方法】変更
【補正の内容】
【００１８】
本発明の印刷装置は、外部装置および付属装置に接続可能な印刷装置であって、前記外部装置から印刷情報を受信する印刷情報受信手段と、前記付属装置を駆動するコマンドを受信するコマンド受信手段と、前記コマンドの受信の有無に基づいて、印刷情報を印刷するか否かを判定する判定手段と、を備え、印刷情報受信手段が印刷情報を受信した後、コマンド受信手段が前記コマンドを受信したとき、判定手段は、印刷情報を印刷すると判定し、コマンド受信手段が前記コマンドを受信しないとき、判定手段は、印刷情報を印刷しないと判定することを特徴とする。
【手続補正８】
【補正対象書類名】明細書
【補正対象項目名】００１９
【補正方法】変更
【補正の内容】
【００１９】
また、本発明の印刷装置の制御方法は、外部装置から印刷情報を受信した後、所定のコマンドの受信の有無および／または受信内容に基づいて、印刷情報を印刷するか否かを判定することを特徴とする。
外部装置と付属装置に接続可能な印刷装置の制御方法であって、前記外部装置から印刷情報を受信した後、前記付属装置を駆動させるコマンドを受信したとき、前記印刷情報を印刷すると判定し、前記コマンド受信手段が前記コマンドを受信しないとき、前記印刷情報を印刷しないと判定することを特徴とする。
【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
画像データと、当該画像データと関連付けられた個人情報を含む属性情報を有する画像ファイルの編集を行うことが可能な情報処理装置であって、
複数の画像ファイルを記録可能な記録手段と、
ユーザにより予め設定された、画像ファイルの編集を行う条件を蓄積する蓄積手段と、
前記記録手段に記録された画像ファイルの中から画像ファイルを指定するためのユーザによる操作を受け付ける入力手段と、
前記蓄積手段に蓄積された前記条件を満たす画像ファイルの属性情報を編集する編集手段と、を有し、
前記入力手段が受け付けた操作により、前記記録手段に記憶された複数の画像ファイルからユーザにより指定された複数の画像ファイルの中に、前記蓄積手段により蓄積された前記条件を満たす画像ファイルが含まれている場合には、前記編集手段は、前記条件を満たす画像ファイルの属性情報の編集を行い、前記ユーザにより指定された画像ファイルのうち前記編集された画像ファイルを除く全ての画像ファイルの属性情報を、前記編集された画像ファイルの属性情報と同様に編集することを特徴とする情報処理装置。
【請求項２】
前記蓄積手段には、画像ファイルの編集を行う条件として顔画像が蓄積されており、
前記編集手段は、前記ユーザにより指定された複数の画像ファイルに含まれる画像データに、前記蓄積手段に蓄積された顔画像に類似している画像が含まれている場合に、該画像データの属性情報を編集することを特徴とする、請求項１に記載の情報処理装置。
【請求項３】
前記属性情報として少なくとも、画像データの撮影日時、撮影者名、撮影位置を含み、
前記編集手段は、前記属性情報に含まれる、画像データの撮影日時、撮影者名、撮影位置のうちの少なくとも１つを、別の情報に置き換えるまたは削除することを特徴とする請求項１または２に記載の情報処理装置。
【請求項４】
前記編集手段はさらに、前記ユーザにより指定された複数の画像ファイルに含まれる画像データに、前記蓄積手段に蓄積された顔画像に類似している画像が含まれている場合に、該画像データに含まれる前記顔画像に類似している顔画像の部分を編集することを特徴とする請求項２に記載の情報処理装置。
【請求項５】
前記編集手段は、前記画像データに含まれる前記顔画像に類似している顔画像の部分にモザイク処理を行うことを特徴とする請求項４に記載の情報処理装置。
【請求項６】
画像データと、当該画像データと関連付けられた個人情報を含む属性情報を有する画像ファイルの編集を行うことが可能な情報処理装置の制御方法であって、
複数の画像ファイルを記録する記録工程と、
ユーザにより予め設定された、画像ファイルの編集を行う条件を蓄積する蓄積工程と、
前記記録工程で記録された画像ファイルの中から画像ファイルを指定するためのユーザによる操作を受け付ける入力工程と、
前記蓄積工程で蓄積された前記条件を満たす画像ファイルの属性情報を編集する編集工程と、を有し、
前記入力工程で受け付けた操作により、前記記録工程で記憶された複数の画像ファイルからユーザにより指定された複数の画像ファイルの中に、前記蓄積工程で蓄積された前記条件を満たす画像ファイルが含まれている場合には、前記編集工程で前記条件を満たす画像ファイルの属性情報の編集を行い、前記ユーザにより指定された画像ファイルのうち前記編集された画像ファイルを除く全ての画像ファイルの属性情報を、前記編集された画像ファイルの属性情報と同様に編集することを特徴とする情報処理装置の制御方法。
【手続補正２】
【補正対象書類名】明細書
【補正対象項目名】０００６
【補正方法】変更
【補正の内容】
【０００６】
前記目的を達成するために本発明の情報処理装置は、画像データと、当該画像データと関連付けられた個人情報を含む属性情報を有する画像ファイルの編集を行うことが可能な情報処理装置であって、複数の画像ファイルを記録可能な記録手段と、ユーザにより予め設定された、画像ファイルの編集を行う条件を蓄積する蓄積手段と、前記記録手段に記録された画像ファイルの中から画像ファイルを指定するユーザによる操作を受け付ける入力手段と、前記蓄積手段に蓄積された前記条件を満たす画像ファイルの属性情報を編集する編集手段と、を有し、前記入力手段が受け付けた操作により、前記記録手段に記憶された複数の画像ファイルからユーザにより指定された複数の画像ファイルの中に、前記蓄積手段により蓄積された前記条件を満たす画像ファイルが含まれている場合には、前記編集手段は、前記条件を満たす画像ファイルの属性情報の編集を行い、前記ユーザにより指定された画像ファイルのうち前記編集された画像ファイルを除く全ての画像ファイルの属性情報を、前記編集された画像ファイルの属性情報と同様に編集することを特徴とする。
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
撮像手段と、
合焦手段と、
前記撮像手段による被写体画像の撮影の際、前記合焦手段を制御して、当該被写体に含まれる主要被写体に合焦した画像と前記主要被写体に合焦していない画像とを連続して取得するよう制御する撮像制御手段と、
前記撮像制御手段によって撮像された前記主要被写体に合焦した画像と前記主要被写体に合焦していない画像とに基づいて、前記被写体画像における、前記被写体画像に含まれる主要被写体に係る主要画像領域の位置を特定する位置特定手段と、
この位置特定手段によって特定された前記主要画像領域の位置に基づいて、予め用意された素材画像が前記主要画像領域に重ならずに隣接する位置を取得する位置取得手段と、
この位置取得手段によって取得された位置に前記素材画像を合成する画像合成手段と、
を備えることを特徴とする画像合成装置。
【請求項２】
前記被写体画像を構成する画素集合の輪郭線を抽出する抽出手段と、
この抽出手段によって抽出された輪郭線のうちの所定値よりも小さい画素集合の輪郭線を除くことにより、前記主要被写体を描画した主要輪郭線を特定する輪郭線特定手段と、
を更に備え、
前記位置特定手段は、
前記輪郭線特定手段によって特定された前記主要輪郭線で囲まれた画像領域の位置を、前記主要画像領域の位置として特定することを特徴とする請求項１に記載の画像合成装置。
【請求項３】
前記輪郭線特定手段によって特定された前記主要輪郭線に隣接させて合成させる前記素材画像の合成位置を、所定操作を検出することにより設定する合成位置設定手段を更に備えることを特徴とする請求項２に記載の画像合成装置。
【請求項４】
前記合成位置設定手段は、
前記素材画像の合成候補位置を、所定操作を検出することにより入力する合成候補位置入力手段と、
前記合成候補位置入力手段により入力された前記合成候補位置に基づいて、前記素材画像の最小包含円を前記主要輪郭線の最小包含円と接するように移動させる素材画像移動手段と、を含み、
前記素材画像移動手段による移動後の前記素材画像の最小包含円の位置に基づいて、前記主要輪郭線に隣接した前記素材画像の合成位置を設定することを特徴とする請求項３に記載の画像合成装置。
【請求項５】
コンピュータを、
連続的に取得された被写体に含まれる主要被写体に合焦した画像と前記主要被写体に合焦していない画像とに基づいて、被写体画像における、当該被写体画像に含まれる主要被写体に係る主要画像領域の位置を特定する位置特定手段、
この位置特定手段によって特定された前記主要画像領域の位置に基づいて、予め用意された素材画像が前記主要画像領域に重ならずに隣接する位置を取得する位置取得手段、
この位置取得手段によって取得された位置に前記素材画像を合成する画像合成手段、
として機能させることを特徴とするプログラム。
【手続補正２】
【補正対象書類名】明細書
【補正対象項目名】０００５
【補正方法】変更
【補正の内容】
【０００５】
上記課題を解決するため、請求項１に記載の発明の画像合成装置は、
撮像手段と、合焦手段と、前記撮像手段による被写体画像の撮影の際、前記合焦手段を制御して、当該被写体に含まれる主要被写体に合焦した画像と前記主要被写体に合焦していない画像とを連続して取得するよう制御する撮像制御手段と、前記撮像制御手段によって撮像された前記主要被写体に合焦した画像と前記主要被写体に合焦していない画像とに基づいて、前記被写体画像における、前記被写体画像に含まれる主要被写体に係る主要画像領域の位置を特定する位置特定手段と、この位置特定手段によって特定された前記主要画像領域の位置に基づいて、予め用意された素材画像が前記主要画像領域に重ならずに隣接する位置を取得する位置取得手段と、この位置取得手段によって取得された位置に前記素材画像を合成する画像合成手段と、を備えることを特徴としている。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項５に記載の発明のプログラムは、
コンピュータを、連続的に取得された被写体に含まれる主要被写体に合焦した画像と前記主要被写体に合焦していない画像とに基づいて、被写体画像における、当該被写体画像に含まれる主要被写体に係る主要画像領域の位置を特定する位置特定手段、この位置特定手段によって特定された前記主要画像領域の位置に基づいて、予め用意された素材画像が前記主要画像領域に重ならずに隣接する位置を取得する位置取得手段、この位置取得手段によって取得された位置に前記素材画像を合成する画像合成手段、として機能させることを特徴としている。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
ミラー部と、
音叉形圧電振動子と、
前記ミラー部を前記音叉形圧電振動子の振動中心と連結する第一の支持部と、
前記音叉形圧電振動子の振動中心と第二の支持部で連結された支持体とを備え、
前記音叉形圧電振動子は、
その振動中心を通る連結部と、
この連結部の両端からそれぞれ延伸するアームとを有し、
これらのアームの内側の辺と前記連結部の内側の辺との成す角は、鈍角である光学反射素子。
【請求項２】
ミラー部と、
音叉形圧電振動子と、
前記ミラー部を前記音叉形圧電振動子の振動中心と連結する第一の支持部と、
前記音叉形圧電振動子の振動中心と第二の支持部で連結された支持体とを備え、
前記音叉形圧電振動子は、
その振動中心を通る連結部と、
この連結部の両端からそれぞれ延伸するアームとを有し、
前記連結部の内側の辺は、
前記振動中心側から前記アームに向って外方へ湾曲している光学反射素子。
【請求項３】
前記連結部と前記第一の支持部との成す角は、
約９０度である請求項１または２に記載の光学反射素子。
【請求項４】
前記アームの外側の辺と前記連結部の外側の辺との成す角は、鈍角である請求項１または２に記載の光学反射素子。
【請求項５】
前記連結部の外側の辺は、
前記振動中心側から前記アームに向って外方へ湾曲している請求項１または２に記載の光学反射素子。
【請求項６】
一対の前記音叉形圧電振動子が、
前記ミラー部を介して対向し、
このミラー部とそれぞれ前記第一の支持部で連結されるとともに、
それぞれ第二の支持部で前記支持体と連結されている請求項１または２に記載の光学反射素子。
【請求項７】
前記支持体は、
さらに振動子と連結されている請求項１または２に記載の光学反射素子。
【手続補正２】
【補正対象書類名】明細書
【補正対象項目名】００４０
【補正方法】変更
【補正の内容】
【００４０】
その後、この下部電極層１５の上にスパッタリング法などによって圧電体層１６を形成する。このとき、圧電体層１６と下部電極層１５との間には、配向制御層としてＰｂとＴｉを含む酸化物誘電体を用いることが好ましく、ランタンマグネシウム添加チタン（ＰＬＭＴ）からなる配向制御層を形成することがより好ましい。これによって、圧電体層１６の結晶配向性がより高まり、圧電特性に優れた圧電素子１４を実現することができる。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
結着樹脂、極性樹脂、着色剤及びワックスを含有するトナー粒子を有するトナーであって、該トナーにＵＶ光硬化性組成物を浸透させた際の、浸透時間５秒における浸透膜厚をＬ（μｍ）、５秒以上１０秒以下における平均浸透速度をＶａ（μｍ／ｓ）、１０秒以上１５秒以下における平均浸透速度をＶｂ（μｍ／ｓ）とするとき、Ｌ，Ｖａ及びＶｂが下記条件：
０．３０≦Ｌ≦０．６０            式（１）
０．０４０≦Ｖａ≦０．０７０      式（２）
Ｖａ＜Ｖｂ                        式（３）
を満たし、該トナーの１００℃における粘度が３．０×１０３乃至４．５×１０４Ｐａ・ｓであることを特徴とするトナー。
【請求項２】
前記Ｖａ及びＶｂが下記条件：
１．２≦Ｖｂ／Ｖａ≦２．０
を満たすことを特徴とする請求項１に記載のトナー。
【請求項３】
２５℃において、負荷速度９．８×１０−５Ｎ／ｓｅｃで負荷０Ｎの状態から２．９４×１０−４Ｎまで荷重を該トナーにかけてから除荷するまでの、微小圧縮試験で得られる変位曲線において、荷重をかけ始めてから終了するまでの変位曲線の傾きをＲ（２５）としたとき、Ｒ（２５）が下記条件：
４．９０×１０−４≦Ｒ（２５）≦１．２７×１０−３
を満たすことを特徴とする請求項１又は２に記載のトナー。
【請求項４】
該極性樹脂が該結着樹脂１００質量部に対して合計で１０乃至５０質量部含有されていることを特徴とする請求項１乃至３のいずれかに記載のトナー。
【請求項５】
該トナー中に含有される極性樹脂の酸価が３．０乃至３０．０ｍｇＫＯＨ／ｇであることを特徴とする請求項１乃至４のいずれかに記載のトナー。
【請求項６】
該トナー中に含有される極性樹脂のガラス転移点（Ｔｇ）が７０乃至１２０℃であることを特徴とする請求項１乃至５のいずれかに記載のトナー。
【請求項７】
該トナー粒子は、重合性単量体、極性樹脂、着色剤、及びワックスを含有する重合性単量体組成物を水系媒体中に分散、造粒し、重合性単量体を重合することにより得られることを特徴とする請求項１乃至６のいずれかに記載のトナー。
【請求項８】
該極性樹脂がビニル系重合体であることを特徴とする請求項１乃至７のいずれかに記載のトナー。
【手続補正２】
【補正対象書類名】明細書
【補正対象項目名】００１４
【補正方法】変更
【補正の内容】
【００１４】
本発明のトナーは、結着樹脂、極性樹脂、着色剤及びワックスを含有するトナー粒子を有するトナーであって、上記トナーにＵＶ光硬化性組成物を浸透させた際の、浸透時間５秒における浸透膜厚をＬ（μｍ）、５秒以上１０秒以下における平均浸透速度をＶａ（μｍ／ｓ）、１０秒以上１５秒以下における平均浸透速度をＶｂ（μｍ／ｓ）とするとき、Ｌ，Ｖａ及びＶｂが下記条件：
０．３０≦Ｌ≦０．６０ 式（１）
０．０４０≦Ｖａ≦０．０７０ 式（２）
Ｖａ＜Ｖｂ 式（３）
を満たし、上記トナーの１００℃における粘度が３．０×１０３乃至４．５×１０４Ｐａ・ｓであることを特徴とする。
【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
結着樹脂及び着色剤を含有するトナー母粒子に外添剤が添加されてなるトナーと、キャリアとを含有してなる二成分現像剤であって、
前記外添剤が、トナー母粒子100重量部に対して、
個数平均粒径が5〜20nmの疎水性シリカＡを0.05〜2.0重量部、
個数平均粒径が5〜40nmの疎水性チタニアを0.05〜2.0重量部、
個数平均粒径が20nmを超えて、70nm以下の疎水性シリカＢを1.0〜5.0重量部、
重量平均粒径が30〜75nmのチタン酸ストロンチウムを0.1〜1.0重量部、及び
体積中位粒径が1.5〜12μmのステアリン酸亜鉛を0.01〜0.1重量部
を含有してなる二成分現像剤。
【請求項２】
チタン酸ストロンチウムとステアリン酸亜鉛の重量比(チタン酸ストロンチウム／ステアリン酸亜鉛)が、4/1〜35/1である、請求項１記載の二成分現像剤。
【請求項３】
疎水性チタニアとチタン酸ストロンチウムの重量比(疎水性チタニア／チタン酸ストロンチウム)が、1/1〜7/1である、請求項１又は２記載の二成分現像剤。
【請求項４】
疎水性チタニアとステアリン酸亜鉛の重量比(疎水性チタニア／ステアリン酸亜鉛)が、10/1〜30/1である、請求項１〜３いずれか記載の二成分現像剤。
【請求項５】
チタン酸ストロンチウムの重量平均粒径が疎水性シリカＢの個数平均粒径より大きい、請求項１〜４いずれか記載の二成分現像剤。
【手続補正書】
【提出日】平成23年8月8日(2011.8.8)
【手続補正１】
【補正対象書類名】明細書
【補正対象項目名】００３５
【補正方法】変更
【補正の内容】
【００３５】
＜反射防止物品＞
（反射率）
前記微細凹凸構造は透明基材の一方の面のみに形成されていてもよく、両面に形成され
ていても良い。一方の面にのみ微細凹凸構造が形成された時の反射率の評価では、もう一
方の面は反射率の値に影響を与えずに光を吸収できるようにサンドペーパーで粗面化した
後、艶消しブラックコートを施して相対反射率測定を行なう。波長３８０〜７８０ｎｍの
反射率は０．３％以下が好ましく、０．２５％以下が更に好ましい。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
被検体に光を照射する複数の照射プローブ、
上記照射プローブに対して所定の間隔をおいて配置された上記被検体から戻る光を検出する複数の検出プローブ、
上記照射プローブに対応した複数の光源を含む光源部、及び
スペクトラム拡散方式により、上記光源部から放射される光に擬似雑音信号でコード化された強度変調を与えるとともに、擬似雑音信号を周期的にオン・オフすることにより上記光源部から放射される光を周期的にオン・オフする変調制御部を備えていることを特徴とする生体光計測装置。
【請求項２】
上記複数の照射プローブは、被検体に光を照射する複数の第１組の照射プローブと複数の第２組の照射プローブとを有し、
上記複数の検出プローブは、上記第１組の照射プローブに対して所定の間隔をおいて配置された上記被検体から戻る光を検出する複数の第１組の検出プローブと、上記第２組の照射プローブに対して所定の間隔をおいて配置された上記被検体から戻る光を検出する複数の第２組の検出プローブとを有し、
上記光源部は、上記第１組の照射プローブに対応した複数の第１組の光源と、上記第２組の照射プローブに対応した複数の第２組の光源とを有し、
上記変調制御部は、上記第１組の光源を駆動するための擬似雑音信号と上記第２組の光源を駆動するための擬似雑音信号とを交互にオン・オフするように構成される請求項1に記載の生体光計測装置。
【請求項３】
上記変調制御部は、擬似雑音信号の１周期の倍数の周期で上記第１組の光源と上記第２組の光源とをオン・オフするように構成される請求項２に記載の生体光計測装置。
【請求項４】
上記変調制御部は、１周期分の擬似雑音信号の前に少なくとも１ビットのダミー信号を付加するように構成される請求項１乃至請求項３の何れか一項に記載の生体光計測装置。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
所定のパルスシーケンスに基づいて複数のＲＦパルスと複数の傾斜磁場パルスを被検体に印加してエコー信号の計測を制御する計測制御手段を有して、
前記複数の傾斜磁場パルスは、少なくとも一つのＲＦパルスの前後で印加される、印加量の等しい一対のクラッシャー傾斜磁場パルスを含む磁気共鳴イメージング装置であって、
前記計測制御手段は、所定の傾斜磁場パルスの極性に対応して、前記一対のクラッシャー傾斜磁場パルスの印加を制御することを特徴とする磁気共鳴イメージング装置。
【請求項２】
請求項１記載の磁気共鳴イメージング装置において、
前記計測制御手段は、前記所定の傾斜磁場パルスの極性と、前記一対のクラッシャー傾斜磁場パルスの極性とが同一となるように制御することを特徴とする磁気共鳴イメージング装置。
【請求項３】
請求項２記載の磁気共鳴イメージング装置において、
前記計測制御手段は、前記所定の傾斜磁場パルスの極性が切り替わるタイミングで、前記一対のクラッシャー傾斜磁場パルスの極性を変更することを特徴とする磁気共鳴イメージング装置。
【請求項４】
請求項２記載の磁気共鳴イメージング装置において、
前記パルスシーケンスはスピンエコーシーケンスであり、
前記一対のクラッシャー傾斜磁場パルスに挟まれるＲＦパルスは１８０度ＲＦパルスであり、
前記所定の傾斜磁場パルスは、位相エンコード傾斜磁場パルスであることを特徴とする磁気共鳴イメージング装置。
【請求項５】
請求項２記載の磁気共鳴イメージング装置において、
前記パルスシーケンスはスピンエコータイプのラディアルシーケンスであり、
前記一対のクラッシャー傾斜磁場パルスに挟まれるＲＦパルスは１８０度ＲＦパルスであり、
前記所定の傾斜磁場パルスは、エンコード傾斜磁場パルスであることを特徴とする磁気共鳴イメージング装置。
【請求項６】
請求項１乃至５記載の磁気共鳴イメージング装置において、
前記クラッシャー傾斜磁場パルスの印加パターンの選択肢を表示する表示手段を備え、
前記計測制御手段は、選択された印加パターンに対応して、前記クラッシャー傾斜磁場パルスの印加を制御することを特徴とする磁気共鳴イメージング装置。
【手続補正書】
【提出日】平成22年12月7日(2010.12.7)
【手続補正１】
【補正対象書類名】特許請求の範囲
【補正対象項目名】全文
【補正方法】変更
【補正の内容】
【特許請求の範囲】
【請求項１】
ズームレンズと、
前記ズームレンズを介して入射した被写体像を受光して、各画素の画像データに変換する撮像素子と、
前記画像データのうち、前記ズームレンズのズーム倍率に応じて決定される色相及び彩度の範囲にある画像データが表す色の彩度を、当該画像データの色相及び彩度に基づいて決められた補正量に従って、低減する色補正手段とを有し、
前記補正量は、画像における画像データの画素の位置に関わらず共通であることを特徴とする撮像装置。
【請求項２】
前記色補正手段は、前記ズームレンズのズーム倍率が高いほど、前記補正量の最大値を高くすることを特徴とする請求項１に記載の撮像装置。
【請求項３】
前記色補正手段は、前記画像データのうち、前記ズームレンズのズーム倍率が高いほど、前記補正の対象とする色相を広く設定することを特徴とする請求項１または２に記載の撮像装置。
【請求項４】
被写体の色温度を測定する測定手段を更に有し、
前記色補正手段は、被写体の色温度が高いほど、前記補正量を増加することを特徴とする請求項１乃至３のいずれか１項に記載の撮像装置。
【請求項５】
被写体の色温度を測定する測定手段を更に有し、
前記色補正手段は、被写体の色温度が高いほど、前記範囲を規定する色相を赤側から青側へ向けてシフトするように変更することを特徴とする請求項１乃至４のいずれか１項に記載の撮像装置。
【請求項６】
前記色補正手段は、色相及び彩度により表される互いに異なる複数の範囲にある色の彩度をそれぞれ補正する複数の色補正回路を含み、前記複数の範囲のいずれかにある色の彩度を、当該範囲に対応する色補正回路により補正することを特徴とする請求項１乃至５のいずれか１項に記載の撮像装置。
【請求項７】
被写体の輝度を検出する輝度検出手段を更に有し、
前記複数の色補正回路の少なくとも１つは、予め設定された波長よりも長い波長の色成分に対応する画像データを補正する色補正回路であって、当該色補正回路は、前記輝度検出手段により検出された輝度が、予め設定された輝度より高ければ、画像データの補正を行うことを特徴とする請求項６に記載の撮像装置。
【請求項８】
ズームレンズと、前記ズームレンズを介して入射した被写体像を受光して、各画素の画像データに変換する撮像素子とを有する撮像装置により得られる画像データの補正方法であって、
前記画像データのうち、前記ズームレンズのズーム倍率に応じて決定される色相及び彩度の範囲にある画像データが表す色の彩度を、当該画像データの色相及び彩度に基づいて決められた補正量に従って、低減する色補正工程を有し、
前記補正量は、画像における画像データの画素の位置に関わらず共通であることを特徴とする画像データの補正方法。
【手続補正２】
【補正対象書類名】明細書
【補正対象項目名】０００８
【補正方法】変更
【補正の内容】
【０００８】
上記目的を達成するために、本発明の撮像装置は、ズームレンズと、前記ズームレンズを介して入射した被写体像を受光して、各画素の画像データに変換する撮像素子と、前記画像データのうち、前記ズームレンズのズーム倍率に応じて決定される色相及び彩度の範囲にある画像データが表す色の彩度を、当該画像データの色相及び彩度に基づいて決められた補正量に従って、低減する色補正手段とを有し、前記補正量は、画像における画像データの画素の位置に関わらず共通であることを特徴とする。
【手続補正３】
【補正対象書類名】明細書
【補正対象項目名】０００９
【補正方法】変更
【補正の内容】
【０００９】
また、ズームレンズと、前記ズームレンズを介して入射した被写体像を受光して、各画素の画像データに変換する撮像素子とを有する撮像装置により得られる画像データの本発明の補正方法は、前記画像データのうち、前記ズームレンズのズーム倍率に応じて決定される色相及び彩度の範囲にある画像データが表す色の彩度を、当該画像データの色相及び彩度に基づいて決められた補正量に従って、低減する色補正工程を有し、前記補正量は、画像における画像データの画素の位置に関わらず共通であることを特徴とする。
【手続補正書】
【提出日】平成22年12月10日(2010.12.10)
【手続補正１】
【補正対象書類名】明細書
【補正対象項目名】００４６
【補正方法】変更
【補正の内容】
【００４６】
第２の実施形態では、マイコン６はＡＦＥ４のゲイン調整機構を制御するために、制御信号（ゲイン値Ｇａ）を出力する。撮像装置は、環境の変化により暗くなってくると、撮像素子３には十分な光が集光されなくなり、出力レベルが下がってくる。これを補うために、マイコン６はＡＦＥ４に対して、暗さに応じたゲイン量を算出した上で、適正露光値になるようにゲイン値Ｇａを出力する。ＡＦＥ４は、指示されたゲイン値Ｇａに基づいて、撮像素子３の出力レベルを増大するようにゲインを乗じて出力する。
【手続補正２】
【補正対象書類名】図面
【補正対象項目名】図２
【補正方法】変更
【補正の内容】
【図２】
2009201062.tif 000001
【手続補正３】
【補正対象書類名】図面
【補正対象項目名】図３
【補正方法】変更
【補正の内容】
【図３】
2009201062.tif 000002
【手続補正４】
【補正対象書類名】図面
【補正対象項目名】図４
【補正方法】変更
【補正の内容】
【図４】
2009201062.tif 000003
【手続補正５】
【補正対象書類名】図面
【補正対象項目名】図５
【補正方法】変更
【補正の内容】
【図５】
2009201062.tif 000004
【手続補正６】
【補正対象書類名】図面
【補正対象項目名】図６
【補正方法】変更
【補正の内容】
【図６】
2009201062.tif 000005
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
外部装置と通信するためのケーブルを有する画像処理装置であって、
前記ケーブルを巻き取って前記画像処理装置内に収納する巻き取り機構と、
外部装置と通信するための、前記ケーブルとは異なる接続手段と、
前記ケーブルが前記巻き取り機構から引き出されたことを検出する検出手段と、
前記ケーブルによる通信と前記接続手段による通信を切り換えるための制御手段を有し、
前記制御手段は、前記接続手段による通信中に前記検出手段により前記ケーブルが引き出されたことを検出したことに応じて、前記ケーブルによる通信に切り替えるための制御を行うことを特徴とする画像処理装置。
【請求項２】
前記制御手段は、前記ケーブルが引き出されたことを検出した場合に、前記ケーブルに外部装置を接続することを促すための表示画面を表示手段に表示させることを特徴とする請求項１に記載の画像処理装置。
【請求項３】
前記制御手段は、前記切り換え手段により前記ケーブルによる通信に切り替えることを特徴とする請求項１または２に記載の画像処理装置。
【請求項４】
前記制御手段は、前記接続手段を介しての画像データを受信中に前記ケーブルが引き出されたことを検出した場合には、前記画像データの受信を中止させることを特徴とする請求項１または２に記載の画像処理装置。
【請求項５】
前記制御手段は、前記接続手段による画像データを受信中に前記ケーブルが引き出されたことを検出した場合には、前記画像データの受信を中止するか否かを選択する選択画面を表示手段に表示させ、画像データの受信を中止すると選択された場合は前記接続手段による通信を中止させて前記ケーブルによる通信を行うように制御し、画像データの受信を中止しないと選択された場合は前記接続手段による通信を継続させることを特徴とする請求項１または２に記載の画像処理装置。
【請求項６】
前記接続手段または前記ケーブルによる通信において外部装置から受信した画像データに基づいて画像を印刷する印刷手段を有し、
前記制御手段は、前記印刷手段による画像の印刷中に、前記ケーブルが引き出されたことを検出した場合には、前記画像の印刷を中止させることを特徴とする請求項１または２に記載の画像処理装置。
【請求項７】
前記接続手段または前記ケーブルによる通信において外部装置から受信した画像データに基づいて画像を印刷する印刷手段を有し、
前記印刷手段による画像の印刷中に、前記ケーブルが引き出されたことを検出した場合には、前記画像データに基づく印刷を中止するか否かを選択する選択画面を表示手段に表示させ、印刷を中止すると選択された場合は前記印刷手段よる印刷を中止させ、さらに、前記接続手段による通信から前記ケーブルによる通信に切り替え、印刷を中止しないと選択された場合は前記印刷手段による印刷を継続することを特徴とする請求項１または２に記載の画像処理装置。
【請求項８】
ケーブル巻き取り機構に収納が可能であり、外部装置と通信するためのケーブルと、外部装置と通信するための前記ケーブルとは異なる接続手段と有する画像処理装置の制御方法であって、
前記ケーブルが前記ケーブル巻き取り機構から引き出されたことを検出する検出工程と、
前記接続手段による外部装置との通信中に前記ケーブルが引き出されたことを検出したことに応じて、前記接続手段による通信から前記ケーブルによる通信に切り替えるための制御を行う制御工程とを有することを特徴とする画像処理装置の制御方法。
【請求項９】
請求項８に記載の画像処理装置の制御方法をコンピュータに実行させるためのプログラム。
【請求項１０】
請求項９に記載のプログラムが記録されたコンピュータが読み取り可能な記憶媒体。
【手続補正２】
【補正対象書類名】明細書
【補正対象項目名】０００４
【補正方法】変更
【補正の内容】
【０００４】
このような課題を解決するため本発明の画像処理装置は以下の構成を備える。
外部装置と通信するためのケーブルを有する画像処理装置であって、
ケーブルを巻き取って画像処理装置内に収納する巻き取り機構と、
外部装置と通信するための、ケーブルとは異なる接続手段と、
ケーブルが巻き取り機構から引き出されたことを検出する検出手段と、
ケーブルによる通信と接続手段による通信を切り換えるための制御手段を有し、
制御手段は、接続手段による通信中に検出手段によりケーブルが引き出されたことを検出したことに応じて、ケーブルによる通信に切り替えるための制御を行うことを特徴とする。
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
複数配列された状態で遊技機列を構成するとともに、当該遊技機列の中で個々の独立した遊技動作を実行する遊技機であって、
遊技領域に向けて遊技球を発射可能な発射手段と、
前記発射手段により前記遊技領域に向けて発射された遊技球を受入可能な受入口と、
所定の演出画像を表示可能な演出画像表示手段と、
前記遊技動作の進行を制御する主制御手段と、
前記主制御手段に配線接続され、前記演出画像表示手段に表示される演出画像を制御する他の制御手段と、
を備え、
前記主制御手段は、
前記受入口への遊技球の受け入れを検出する受入検出手段と、
前記受入検出手段により遊技球の受け入れが検出されたことに基づいて、内部的な抽選処理を行う抽選手段と、
前記内部的な抽選処理の結果が当たりであるときに、遊技者に有利な特典遊技を実行する特典遊技実行手段と、
前記内部的な抽選処理の結果および前記演出画像表示手段に表示される前記所定の演出画像にかかわる情報を、配線接続される前記他の制御手段に対して当該配線を介して送信する情報送信手段と、
を有し、
前記他の制御手段は、
前記配線を介して前記主制御手段から送信された前記情報を受信する情報受信手段と、
前記情報受信手段により受信した前記情報に基づいて、前記内部的な抽選処理の結果としての所定の演出画像を前記演出画像表示手段に表示し、当該抽選処理の結果が当たりである場合には、前記所定の演出画像として特定画像を表示する演出画像表示制御手段と、
を有しており、
前記他の制御手段は、さらに、
前記内部的な抽選処理の結果が当たりであることを示す情報を前記情報受信手段により受信したことを条件に、当たり情報を機外に放つ情報放出手段と、
機外からの情報を収拾する情報収拾手段と、
前記情報収拾手段により前記当たり情報が収拾されたことに基づいて、前記所定の演出画像のように前記内部的な抽選処理の結果と関連することのない特別演出画像を表示しうる収拾情報起因表示制御手段と、
前記収拾情報起因表示制御手段による前記特別演出画像の表示に先だって、当該特別演出画像が表示されることを外部に表明する予告演出を行う予告演出実行手段と、
を有する
ことを特徴とする遊技機。
【請求項２】
前記予告演出は、
前記遊技機列を構成する他の遊技機の遊技者を少なくとも含む第三者に対して、前記特定演出画像が表示されうることを訴求しうる態様で行うものである
請求項１に記載の遊技機。
【請求項３】
少なくとも前記予告演出が行われる演出手段をさらに備えており、
前記演出手段では、
前記内部的な抽選処理の結果に応じても所定の演出が行われると共に、特定条件が成立した場合には、前記内部的な抽選処理の結果にかかわる前記所定の演出画像に対して遊技者の興味を抱かせうる演出が行われ、
前記情報収拾手段により前記当たり情報が収拾された場合には、前記遊技機列を構成する複数の遊技機のうちいずれかの遊技機における内部的な抽選処理の結果が当たりであることを、当該遊技機列を構成する他の遊技機の遊技者を少なくとも含む第三者に訴求しうる前記予告演出が行われうる
請求項１に記載の遊技機。
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
電気−機械エネルギ変換素子により振動が励起される振動体と、
前記振動体に励起された振動に伴う接触加圧力で押圧され前記振動により前記振動体に対して相対的に移動される移動体と、
前記振動体と前記移動体との間に設けられ前記振動体の面と前記移動体の面に当接する接触面を有する摩擦部材とを備え、
前記摩擦部材は、前記摩擦部材の接触面が前記振動体と前記移動体の何れの接触面とも固着されていないと共に、前記振動体または前記移動体の何れか一方の接触面と一体的な挙動を示すことを特徴とする振動波駆動装置。
【請求項２】
前記摩擦部材は、前記振動体の接触面以外の箇所に固定される取付け部と、前記取付け部から外周側へ放射状に延出された可撓性を有する複数の腕部と、前記複数の腕部からそれぞれ延出された複数の摩擦部とを有するリング形状であることを特徴とする請求項１記載の振動波駆動装置。
【請求項３】
前記摩擦部材は、前記振動体の接触面以外の箇所に固定される取付け部と、前記取付け部の外周側に沿って設けられた摩擦部とを有するリング形状であることを特徴とする請求項１記載の振動波駆動装置。
【請求項４】
前記摩擦部材における前記振動体または前記移動体に対向する接触面の硬度は、前記振動体または前記移動体における前記摩擦部材に対向する接触面の硬度よりも低いことを特徴とする請求項１記載の振動波駆動装置。
【請求項５】
前記摩擦部材における前記振動体及び前記移動体にそれぞれ対向する接触面の材質は、前記振動体及び前記移動体における前記摩擦部材にそれぞれ対向する接触面の材質と異なることを特徴とする請求項１記載の振動波駆動装置。
【請求項６】
前記摩擦部材における前記振動体に対向する接触面と前記移動体に対向する接触面とは、表面粗さが異なることを特徴とする請求項１記載の振動波駆動装置。
【請求項７】
前記摩擦部材の前記移動体に対向する接触面に微小突起を設け、前記移動体の接触面を前記微小突起が突き刺さることが可能な材料により形成したことを特徴とする請求項１記載の振動波駆動装置。
【請求項８】
前記摩擦部材と前記移動体の両方の接触面に異方性のある加工痕を設けたことを特徴とする請求項１記載の振動波駆動装置。
【請求項９】
前記摩擦部材と前記移動体の両方の接触面における摺動する径の大きさと、前記摩擦部材と前記振動体の両方の接触面における摺動する径の大きさとに差を設けたことを特徴とする請求項１記載の振動波駆動装置。
【請求項１０】
前記摩擦部材は、前記振動体に対してばね部材による接触加圧力と前記腕部による加圧力により押圧されることを特徴とする請求項２記載の振動波駆動装置。
【請求項１１】
前記振動体あるいは前記摩擦部材の何れか一方が磁化されていることを特徴とする請求項１記載の振動波駆動装置。
【手続補正２】
【補正対象書類名】明細書
【補正対象項目名】００１７
【補正方法】変更
【補正の内容】
【００１７】
上述の目的を達成するために、本発明は、電気−機械エネルギ変換素子により振動が励起される振動体と、前記振動体に励起された振動に伴う接触加圧力で押圧され前記振動により前記振動体に対して相対的に移動される移動体と、前記振動体と前記移動体との間に設けられ前記振動体の面と前記移動体の面に当接する接触面を有する摩擦部材とを備え、前記摩擦部材は、前記摩擦部材の接触面が前記振動体と前記移動体の何れの接触面とも固着されていないと共に、前記振動体または前記移動体の何れか一方の接触面と一体的な挙動を示すことを特徴とする。
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
プレーヤの操作に基づいてフィールド面上に積み上げられたゲーム媒体を媒体獲得領域に移動させ獲得するゲーム装置において、
ゲーム媒体を前記フィールド面上に積み上げる積上部材と、
前記媒体獲得領域に前記積み上げられたゲーム媒体を、前記フィールド面に沿って前記媒体獲得空間側にスライドさせるスライド部と、
前記スライド部をスライドさせるためのスライド動力部と、
を備えることを特徴とするゲーム装置。
【請求項２】
請求項１において、
前記フィールド面上には、
ゲーム媒体を積み上げるための積上領域が設けられ、
前記スライド部は、
前記積上領域で積み上げられた前記ゲーム媒体を、前記フィールド面上の所定の経路に沿って前記媒体獲得空間側にスライドさせることを特徴とするゲーム装置。
【請求項３】
請求項１、２のいずれかにおいて、
前記スライド部は、
前記積み上げられたゲーム媒体を、前記積上領域から前記経路に沿って、前記経路内の所定の位置までスライドさせることを特徴とするゲーム装置。
【請求項４】
請求項２、３のいずれかにおいて、
前記経路は、
前記積み上げられたゲーム媒体を、前記経路に沿って前記媒体獲得空間側に誘導するためのスライド誘導部を備えることを特徴とするゲーム装置。
【請求項５】
請求項４において、
前記スライド部は、
前記積上領域で積み上げられたゲーム媒体を、前記積上領域と前記媒体獲得空間との間の所定位置までスライドさせることを特徴とするゲーム装置。
【請求項６】
請求項１〜５のいずれかにおいて、
所与のイベントを発生させるイベント発生条件が満たされたことを判定する処理を行う判定部を更に備え、
前記スライド部は、
前記イベント発生条件が満たされた場合に、前記積み上げられたゲーム媒体を前記媒体獲得空間側にスライドさせることを特徴とするゲーム装置。
【請求項７】
請求項１において、
前記積み上げられたゲーム媒体の移動領域外から移動領域上に移動可能に設けられた外力付与部と、
前記外力付与部の移動を制御する移動制御部と、
を備え、
前記移動制御部が、所定の条件を満たした場合に、前記外力付与部を前記移動領域上に積み上げられているゲーム媒体に当接するよう移動させることを特徴とするゲーム装置。
【請求項８】
請求項７において、
前記外力付与部は、
前記移動領域の上方の空間に対して外力を付与することを特徴とするゲーム装置。
【請求項９】
請求項７、８のいずれかにおいて、
前記外力付与部として、
前記移動領域上方の空間を移動する移動外力付与部と、
前記移動外力付与部を動作させる動力部と、
を更に備えることを特徴とするゲーム装置。
【請求項１０】
請求項７において、
前記外力付与部として、
前記移動領域および前記積上げられたゲーム媒体の少なくとも一方に対して、前記ゲーム媒体を供給するゲーム媒体供給部を備えることを特徴とするゲーム装置。
【請求項１１】
請求項７、１０のいずれかにおいて、
前記移動領域は、
前記移動領域に対して外力が付与されると振動する構造を有していることを特徴とするゲーム装置。
【請求項１２】
請求項７〜１１のいずれかにおいて、
所与のイベントを発生させるイベント発生条件が満たされたことを判定する処理を行う判定部を更に備え、
前記外力付与部が、
前記イベント発生条件が満たされた場合に、前記移動領域および前記積み上げられたゲーム媒体の少なくとも一方に対して外力を付与することを特徴とするゲーム装置。